(57)【要約】【課題】飲食時に誤って飲食者の手や腕等がワインボトル等に当たってワインボトル等を倒したり、床上に落としたりすることがないテーブルを提供する。【解決手段】天板１と、この天板１を下から支受する脚部２とを備えている。そして、上記天板１にボトル挿通穴１１が穿設され、このボトル挿通穴１１にワインボトル６を挿通可能にし、上記天板１と脚部２とのいずれか一方に、上記ボトル挿通穴１１に挿通されたワインボトル６の少なくとも頭部６ａを上記ボトル挿通穴１１から突出させた状態でワインボトル６を保持するワインクーラー３を設け、このワインクーラー３に保持されたワインボトル６を冷却する氷４を備えている。【選択図】図１１
2009017952.tif 000002
【特許請求の範囲】
【請求項１】
天板と、この天板を下から支受する支受部とを備え、上記天板に容器挿通穴が穿設され、この容器挿通穴に、飲料もしくは食料を収容する収容容器を挿通可能にし、上記天板と支受部とのいずれか一方に、上記容器挿通穴に挿通された収容容器の少なくとも頭部を上記容器挿通穴から突出させた状態で上記収容容器を保持する保持手段を設け、この保持手段に保持された収容容器を冷却する冷却手段を備えたことを特徴とするテーブル。
【請求項２】
上記支受部の上部に、上記天板との間に所定の隙間をあけた状態で載置板が配設され、上記天板の容器挿通穴に対応する上記載置板の部分に上記保持手段が載置可能になっている請求項１記載のテーブル。
【請求項３】
上記天板の容器挿通穴の外周部から上記保持手段が下方に突設されている請求項１記載のテーブル。
【請求項４】
上記保持手段が、有底筒状体に形成され、内部に冷却手段としてブロック状の氷が収容されている請求項１〜３のいずれか一項に記載のテーブル。
【請求項５】
上記有底筒状体の下部にブロック状の氷が収容され、この氷の上に、複数の穴が穿設された板状体が配設され、この板状体の穴が、所定の大きさの氷を通過させない大きさに形成されている請求項４記載のテーブル。
【発明の詳細な説明】
【技術分野】
【０００１】
本発明は、飲食店や家庭等で用いられるテーブルに関するものである。
【背景技術】
【０００２】
従来から、飲食店等にあるテーブルには、ワインボトル等の各種ボトル類を置くための専用のスペースも、各種ボトル類を冷却する冷却手段を置くための専用のスペースもない。このため、飲食店等でワインや冷酒等を注文すると、店員等がワインボトルや、冷酒を入れたボトル等をテーブルまで運び、そのままテーブル上の適宜の場所に立てた状態で置いたり、ワインボトル等を、氷を入れたワインクーラー等に入れた状態でテーブルまで運び、そのままワインクーラー等をテーブル上の適宜の場所に置いたりすることがよく行われている。また、家庭等でも、同様のことが行われている。
【発明の開示】
【発明が解決しようとする課題】
【０００３】
しかしながら、上記のように、ワインボトルやワインクーラー等をテーブル上の適宜の場所に置く場合には、飲食時に誤って飲食者の手や腕等がワインボトルやワインクーラー等に当たり、ワインボトルやワインクーラーを倒してワインボトルからワインが流出したり、ワインクーラーから氷や水が流出したりするという問題や、ワインボトルを床上に落として割ったするという問題がある。
【０００４】
本発明は、このような事情に鑑みなされたものであって、飲食時に誤って飲食者の手や腕等がワインボトル等の容器やワインクーラー等の冷却手段に当たってこれを倒したり、床上に落としたりすることがないテーブルの提供をその目的とする。
【課題を解決するための手段】
【０００５】
上記の目的を達成するため、本発明のテーブルは、天板と、この天板を下から支受する支受部とを備え、上記天板に容器挿通穴が穿設され、この容器挿通穴に、飲料もしくは食料を収容する収容容器を挿通可能にし、上記天板と支受部とのいずれか一方に、上記容器挿通穴に挿通された収容容器の少なくとも頭部を上記容器挿通穴から突出させた状態で上記収容容器を保持する保持手段を設け、この保持手段に保持された収容容器を冷却する冷却手段を備えたという構成をとる。
【発明の効果】
【０００６】
すなわち、本発明のテーブルでは、天板に穿設された容器挿通穴に（飲料もしくは食料を収容する）収容容器を挿通することにより、天板と支受部とのいずれか一方に設けた保持手段で、上記収容容器の少なくとも頭部が上記容器挿通穴から突出した状態で上記収容容器を保持することができる。したがって、飲食店等で飲料もしくは食料を注文し、店員等がテーブルまで運んできた飲料もしくは食料の収容容器を上記天板の容器挿通穴に挿通すれば、上記収容容器を保持手段で安定よく保持することができる。また、上記収容容器を保持手段で保持した状態では、上記収容容器の少なくとも頭部が上記容器挿通穴から突出しているため、飲食の際には上記収容容器を容器挿通穴から簡単に取り出すことができる。しかも、収容容器を天板の容器挿通穴に挿通しているため、飲食時に飲食者の手や腕等が収容容器に当たることがほとんどなく、また、誤って収容容器に当たった場合にも、収容容器が倒れることがない。さらに、冷却手段を天板の下側に配設等することにより、飲食時に飲食者の手や腕等が冷却手段に当たることもほとんどない。
【０００７】
また、本発明において、上記支受部の上部に、上記天板との間に所定の隙間をあけた状態で載置板が配設され、上記天板の容器挿通穴に対応する上記載置板の部分に上記保持手段が載置可能になっている場合には、天板の下側に保持手段を配設することができ、保持手段が飲食の邪魔にならない。
【０００８】
また、本発明において、上記天板の容器挿通穴の外周部から上記保持手段が下方に突設されている場合には、天板の下側に保持手段を配設することができ、保持手段が飲食の邪魔にならない。しかも、天板と保持手段とが一体化されているうえ、保持手段を載置するための載置板を省略することができるため、部品点数が減少し、組み立て作業に手間がかからない。
【０００９】
また、本発明において、上記保持手段が、有底筒状体に形成され、内部に冷却手段としてブロック状の氷が収容されている場合には、保持手段の構造が簡単であり、かつ、冷却手段が安価である。
【００１０】
また、本発明において、上記有底筒状体の下部にブロック状の氷が収容され、この氷の上に、複数の穴が穿設された板状体が配設され、この板状体の穴が、所定の大きさの氷を通過させない大きさに形成されている場合には、上記板状体の下にある氷が所定の大きさにまで小さくならないと、上記板状体の穴を通ってその上側に移動できないため、上記収容容器を保持手段に挿入して板状体上に載置する際に、氷が邪魔にならない。
【発明を実施するための最良の形態】
【００１１】
つぎに、本発明を実施するための最良の形態について説明する。ただし、本発明は、この実施の形態に限られるものではない。
【００１２】
図１および図２は本発明のテーブルの一実施の形態を示している。図において、１は円盤状に形成された金属製（もしくは木製，プラスチック製）の天板であり、図３〜図５に示すように、その中央部に平面視円形のボトル挿通穴（容器挿通穴）１１が穿設されているとともに、このボトル挿通穴１１の外周部の上下両面に円環状の突条１１ａが突設されている。
【００１３】
２は上記天板１を支持する木製（もしくは金属製，プラスチック製）の脚部（支受部）であり、図６〜図９に示すように、天板１を支受，固定する四角形枠状の支受枠１２と、この支受枠１２の各角部から下方に向かって外拡がり傾斜状に延びる４本の脚１３と、これら各脚１３のうち、隣り合う脚１３の下部同士を連結，固定する連結板１４と、上記各脚１３の上部から中央に向かって水平に延びる支受棒１５（すなわち、各支受棒１５の一端が各脚１３の上部に固定され、他端が遊端となる片持ち状態で、各支受棒１５が各脚１３に支受されている）と、これら各支受棒１５上に載置される載置板１６（図９では、図示せず）とからなっている。そして、この載置板１６と上記天板１との間には、後述するワインクーラー３を出し入れしうるスペースが形成されており、上記載置板１６上にワインクーラー３が出し入れ自在に載置されている。
【００１４】
また、この実施の形態では、上記支受枠１２に複数のビス挿通穴１２ａが上下貫通状に穿設されているとともに、これら各ビス挿通穴に対応する上記天板１の下面の部分にねじ穴（図示せず）が穿設されており、上記支受枠１２の下からビス（図示せず）をビス挿通穴１２ａに挿通してねじ穴に螺合させることにより、天板１を支受枠１２に支受，固定することができる。
【００１５】
上記ワインクーラー（保持手段であり、冷却手段でもある）３は、内部にブロック状の氷（冷却手段）４が収容された有底円筒状のケース（保持手段）５で構成されている（図１１参照）。
【００１６】
上記の構成において、ワインボトル６（図１および図２参照）をテーブルに置く場合には、まず、図１０に示すように、脚部２の載置板１６上にワインクーラー３を、天板１のボトル挿通穴１１（図５参照）の下側に位置させた状態で載置する。ついで、ワインボトル６を天板１のボトル挿通穴１１に挿通してワインクーラー３のケース５内に挿入し、ケース５の底壁上に載置する（図１１参照）。この状態では、ワインボトル６の頭部６ａが天板１上に突出している。また、ワインクーラー３は天板１に隠れて見えない。
【００１７】
このように、上記実施の形態では、ワインボトル６を天板１のボトル挿通穴１１に挿通することで、ワインボトル６をワインクーラー３で安定よく保持することができる。しかも、この保持状態でワインボトル６の頭部６ａが天板１上に突出しているため、ワインを飲む場合には、ワインボトル６をボトル挿通穴１１から簡単に取り出すことができる。さらに、ワインボトル６をボトル挿通穴１１に挿通しているため、飲食時に飲食者の手や腕等がワインボトル６に当たることがほとんどなく、また、誤ってワインボトル６に当たった場合にも、ワインボトル６が倒れることがない。さらに、ワインクーラー３を天板１の下側にあるため、飲食時に飲食者の手や腕等がワインクーラー３に当たることもない。
【００１８】
図１２は本発明のテーブルの他の実施の形態を示している。この実施の形態では、図１３および図１４に示すように、天板１の下面に４本の脚１８が固定されている。より詳しく説明すると、上記各脚１８の上端鍔部１８ａに複数のビス挿通穴（図示せず）が上下貫通状に穿設されているとともに、これら各ビス挿通穴に対応する上記天板１の下面の部分にねじ穴（図示せず）が穿設されており、上記上端鍔部１８ａの下からビス（図示せず）をビス挿通穴に挿通してねじ穴に螺合させることにより、天板１の下面に各脚２１を固定することができる。
【００１９】
また、支受部として、酒樽１９が用いられており、酒樽１９の天井板１９ａ上に上記各脚１８が載置されている。それ以外の部分は上記実施の形態と同様であり、同様の部分には同じ符号を付している。この実施の形態でも、上記実施の形態と同様の作用・効果を奏する。
【００２０】
図１５は本発明のテーブルのさらに他の実施の形態を示している。この実施の形態では、図１６に示すように、ワインクーラー３の上端外周部に鍔部３ａが突設されており、この鍔部３ａが天板１の下面にビス止めもしくは溶接により（ビスもしくは溶接部は図示せず）固定されている。したがって、この実施の形態では、図１〜図１１に示す実施の形態で用いた支受棒１５および載置板１６を用いていない。それ以外の部分は、図１〜図１１に示す実施の形態と同様であり、同様の部分には同じ符号を付している。この実施の形態でも、図１〜図１１に示す実施の形態と同様の作用・効果を奏する。しかも、天板１とワインクーラー３とが一体化されているうえ、図１〜図１１に示す実施の形態から支受棒１５および載置板１６を省略することができるため、部品点数が減少し、組み立て作業に手間がかからない。
【００２１】
図１７は本発明のテーブルのさらに他の実施の形態を示している。この実施の形態では、図１〜図１１に示す実施の形態において、天板１のボトル挿通穴１１の内周面に、ワインボトル６の外周面に付着した水を水切りするゴム製，布製等の水切り材２１が接着等により固定されている。
【００２２】
また、ワインクーラー３が多孔板（板状体）２２により上下２室２３，２４に仕切られている。この多孔板２２には小さな孔２２ａが多数穿設されており、氷４が収容された下室２３内の氷４が小さくならないと、多孔板２２の各孔２２ａを通り抜けて、冷水（冷却手段）７が溜まる上室２４に流入しないようにしている。これにより、ワインボトル６をワインクーラー３のケース５内に挿入して多孔板２２上に載置する際に、氷４が邪魔にならず、挿入しやすくなる。
【００２３】
なお、上記各実施の形態では、保持手段および冷却手段をワインクーラー３で兼用しているが、これに限定するものではなく、保持手段として、有底筒状のケースを用い、冷却手段として、氷４や冷水７等を収容する環状筒体を用い、この環状筒体を上記ケースの外周に配設してもよい。
【００２４】
また、上記各実施の形態では、テーブルにワインボトル６を置くようにしているが、ワイン以外の飲料を収容した収容容器を置くようにしてもよいし、食料を収容した収容容器を置くようにしてもよい。
【図面の簡単な説明】
【００２５】
【図１】本発明のテーブルの一実施の形態を示す側面図である。
【図２】上記テーブルの平面図である。
【図３】天板の側面図である。
【図４】上記天板の平面図である。
【図５】上記天板の断面図である。
【図６】脚部の側面図である。
【図７】上記脚部の平面図である。
【図８】上記脚部の底面図である。
【図９】上記脚部の斜視図である。
【図１０】上記テーブルの作用を示す側面図である。
【図１１】上記テーブルの作用を示す断面図である。
【図１２】本発明のテーブルの他の実施の形態を示す側面図である。
【図１３】天板の側面図である。
【図１４】上記天板の底面図である。
【図１５】本発明のテーブルのさらに他の実施の形態を示す側面図である。
【図１６】上記テーブルの要部の断面図である。
【図１７】本発明のテーブルのさらに他の実施の形態を示す要部の断面図である。
【符号の説明】
【００２６】
１  天板
２  脚部
３  ワインクーラー
４  氷
６  ワインボトル
６ａ  頭部
１１  ボトル挿通穴
【図１】
2009017952.tif 000003
【図２】
2009017952.tif 000004
【図３】
2009017952.tif 000005
【図４】
2009017952.tif 000006
【図５】
2009017952.tif 000007
【図６】
2009017952.tif 000008
【図７】
2009017952.tif 000009
【図８】
2009017952.tif 000010
【図９】
2009017952.tif 000011
【図１０】
2009017952.tif 000012
【図１１】
2009017952.tif 000013
【図１２】
2009017952.tif 000014
【図１３】
2009017952.tif 000015
【図１４】
2009017952.tif 000016
【図１５】
2009017952.tif 000017
【図１６】
2009017952.tif 000018
【図１７】
2009017952.tif 000019